(57)【要約】【課題】空きもしくはティッシュが格納された複数のティッシュ箱を保持すること。【解決手段】空きもしくはティッシュが格納された二つのティッシュ箱が背中合わせで横向きに挿入可能であり、空きもしくはティッシュが格納された三つ目のティッシュ箱が、取り出し口が上になるように二つのティッシュ箱の上に配置可能なティッシュ箱ホルダであって、下側の二つのティッシュ箱の各縁部に平行、かつ、上側の三つ目のティッシュ箱の側面途中までの高さを有し、一部が折り曲げられて各ティッシュ箱を下から支える支持部と、少なくとも下側のティッシュ箱を横から挟む挟持部と、が形成されたフレームを備えた。【選択図】図２
2015147602.tif 000002
【特許請求の範囲】
【請求項１】
空きもしくはティッシュが格納された二つのティッシュ箱が背中合わせで横向きに挿入可能であり、空きもしくはティッシュが格納された三つ目のティッシュ箱が、取り出し口が上になるように前記二つのティッシュ箱の上に配置可能なティッシュ箱ホルダであって、
下側の二つのティッシュ箱の各縁部に平行、かつ、上側の三つ目のティッシュ箱の側面途中までの高さを有し、一部が折り曲げられて前記各ティッシュ箱を下から支える支持部と、少なくとも下側のティッシュ箱を横から挟む挟持部と、が形成されたフレームを備えたことを特徴とするティッシュ箱ホルダ。
【請求項２】
前記フレームの支持部及び挟持部の形状は、台形、矩形、半円形、放物線形、半楕円形、Ｍ字形、Ｗ字形のいずれかもしくはこれらの組み合わせであることを特徴とする請求項１記載のティッシュ箱ホルダ。
【請求項３】
下側の二つのティッシュ箱が背中合わせで挿入されるフレームにおける下側の対向する辺の中央部が、前記下側の二つのティッシュ箱に向かう支持部を形成し、残りの辺が脚部を形成することを特徴とする請求項１記載のティッシュ箱ホルダ。
【請求項４】
前記三つ目のティッシュ箱の正面側に前記三つ目のティッシュ箱を挟む挟持部が前記フレームにさらに形成されていることを特徴とする請求項１または２記載のティッシュ箱ホルダ。
【請求項５】
前記三つ目のティッシュ箱の底面側の支持部が前記三つ目のティッシュ箱の底面に沿うように折り曲げられていることを特徴とする請求項１または２記載のティッシュ箱ホルダ。
【請求項６】
前記フレームは、金属もしくは樹脂からなり、中空管、中実管、もしくは板状部材のいずれかであることを特徴とする請求項１から４の何れか一項記載のティッシュ箱ホルダ。
【請求項７】
前記三つのティッシュ箱ごと前記フレームを覆うカバーを備えたことを特徴とする請求項１から５の何れか一項記載のティッシュ箱ホルダ。
【発明の詳細な説明】
【技術分野】
【０００１】
本発明は、複数のティッシュ箱を保持するティッシュ箱ホルダに関する。
【背景技術】
【０００２】
ティッシュ箱を保持するホルダが種々開発されている（例えば、特許文献１、２参照。）。
特許文献１に記載の発明は、「箱入りティッシュのホルダ」に関するものであり、具体的には、ティッシュ取り出し穴を底面に設けた箱形状の架台に、方形金属板または金属棒材の方形枠体をＬ字形状に折り曲げ成型してなる取付脚を、着脱自在に取着してなるものである。
特許文献２に記載の発明は、「ティッシュ箱」に関するものであり、具体的には、略四角形筒状の基体又は略コの字状の基体であって、取り付ける物体の上面や側面、又は裏面に、基体の上面外側部や側面外側部を直接、又は基体から突出した取り付け部を介して、挟めるか掛けるか固定器具にて固定し、基体の内周面、又は内周面の少なくとも一部分から突出した凸状の安定爪でティッシュ箱を逆さに保持して下面よりティッシュを取り出すものである。
【先行技術文献】
【特許文献】
【０００３】
【特許文献１】特開２００７−００８５７９号公報
【特許文献２】特開２０００−２１０２２５号公報
【発明の概要】
【発明が解決しようとする課題】
【０００４】
しかしながら、上述した特許文献１、２に記載の発明は、空きもしくはティッシュが格納された複数のティッシュ箱を保持することはできない。
【０００５】
そこで、本発明の目的は、空きもしくはティッシュが格納された複数のティッシュ箱を保持することにある。
【課題を解決するための手段】
【０００６】
上記課題を解決するため、請求項１に記載の発明は、空きもしくはティッシュが格納された二つのティッシュ箱が背中合わせで横向きに挿入可能であり、空きもしくはティッシュが格納された三つ目のティッシュ箱が、取り出し口が上になるように前記二つのティッシュ箱の上に配置可能なティッシュ箱ホルダであって、下側の前記二つのティッシュ箱の各縁部に平行、かつ、上側の前記三つ目のティッシュ箱の側面途中までの高さを有し、一部が折り曲げられて前記各ティッシュ箱を下から支える支持部と、少なくとも前記下側のティッシュ箱を横から挟む挟持部と、が形成されたフレームを備えたことを特徴とする。
【発明の効果】
【０００７】
本発明によれば、空きもしくはティッシュが格納された複数のティッシュ箱を保持することができる。
【図面の簡単な説明】
【０００８】
【図１】一実施の形態に係る外観斜視図である。
【図２】図１に示したティッシュ箱ホルダと、空きもしくはティッシュが格納された複数のティッシュ箱との位置関係を示す外観斜視図である。
【図３】（ａ）は、図１に示したティッシュ箱ホルダの平面図であり、（ｂ）は、（ａ）の正面図であり、（ｃ）は、（ａ）の右側面図である。
【図４】（ａ）は、図１に示したティッシュ箱ホルダの変形例の平面図であり、（ｂ）は、（ａ）の正面図、（ｃ）は、（ａ）の右側面図である。
【図５】図１に示したティッシュ箱ホルダの他の変形例の外観斜視図である。
【発明を実施するための形態】
【０００９】
次にティッシュ箱ホルダの実施の形態について図面を参照して説明する。
＜構  成＞
図１は、一実施の形態に係る外観斜視図である。図２は、図１に示したティッシュ箱ホルダと、空きもしくはティッシュが格納された複数のティッシュ箱との位置関係を示す外観斜視図である。図３（ａ）は、図１に示したティッシュ箱ホルダの平面図であり、図３（ｂ）は、図３（ａ）の正面図であり、図３（ｃ）は、図３（ａ）の右側面図である。
【００１０】
ティッシュ箱ホルダ１０は、空きもしくはティッシュが格納された二つのティッシュ箱２０ａ、２０ｂが背中合わせで横向きに挿入可能であり、空きもしくはティッシュが格納された三つ目のティッシュ箱２０ｃが、取り出し口が上になるように二つのティッシュ箱２０ａ、２０ｂの上に配置可能なホルダである。
【００１１】
ティッシュ箱ホルダ１０は、下側の二つのティッシュ箱２０ａ、２０ｂの各縁部に平行、かつ、上側の三つ目のティッシュ箱２０ｃの側面途中までの高さを有し、一部が折り曲げられて各ティッシュ箱２０ａ、２０ｂ、２０ｃを下から支える支持部１１、１２と、少なくとも下側のティッシュ箱２０ａ、２０ｂを横から挟む挟持部１３と、が形成されたフレームを備えたものである。
【００１２】
下側の二つのティッシュ箱２０a、２０ｂが背中合わせで挿入されるフレームの下側の対向する辺の中央部が、下側の二つのティッシュ箱２０ａ、２０ｂに向かう支持部１１を形成し、残りの辺が脚部１４を形成する。
【００１３】
フレームのうちの下側の二つのティッシュ箱２０ａ、２０ｂの境界を通るフレームには背当て部１６が形成されている。
【００１４】
三つ目のティッシュ箱２０ｃの底面側の支持部１２が三つ目のティッシュ箱２０ｃの底面に沿うように折り曲げられている。
【００１５】
フレームの支持部１１、１２及び挟持部１３の形状は、図では台形であるが、本発明はこれに限定されるものではなく、矩形、半円形、放物線形、半楕円形、Ｍ字形、Ｗ字形のいずれかもしくはこれらの組み合わせであってもよい。
【００１６】
フレームは、鉄や合金等の金属もしくはエンジニアプラスチック等の樹脂からなり、中空管もしくは針金を含む中実管のいずれであっても板状部材であってもよい。
【００１７】
尚、支持部１２の長手方向の長さは図に示す長さより長くてもよい。また、フレームの下部中央の竜骨部１５は直線であるが、本発明はこれに限定されるものではなく、Ｓ字形状、ジグザグ形状、クランク形状のいずれであってもよい。さらに、図では脚部１４が露出しているが、本発明はこれに限定されるものではなく脚部１４をゴムもしくは樹脂で被覆してもよい。
【００１８】
＜作用効果＞
ティッシュ箱ホルダ１０が形成する空間のうち、支持部１１、１２、挟持部１３、及び背当て部１６で包囲される空間に、二つのティッシュ箱２０ａ、２０ｂを横から矢印Ｐ１、Ｐ２方向（もしくは逆方向）に挿入することで、ティッシュ箱ホルダ１０内に保持される。挿入後は、ティッシュ箱２０ａ、２０ｂは挟持部１３で両側から押されるため、容易に落下することがない。
ティッシュ箱ホルダ１０の上側の空間には三つ目のティッシュ箱２０ｃを矢印Ｐ３方向に置くことにより支持部１２で支持される。尚、支持部１２はＬ字形状に形成されているため支持部として機能するが、支持部１２がＬ字形状に折り曲げられず側面を押すように挟持部として形成されている場合には、二つのティッシュ箱２０ａ、２０ｂの上に載置されるため、落下することはない。
以上より、空きもしくはティッシュが格納された複数のティッシュ箱の提供を実現することができる。
【００１９】
＜変形例１＞
図４（ａ）は、図１に示したティッシュ箱ホルダの変形例の平面図であり、図４（ｂ）は、図４（ａ）の正面図、図４（ｃ）は、図４（ａ）の右側面図である。
図４（ａ）〜（ｃ）に示した変形例の図１に示した実施形態との相違点は、支持部１２の両側に挟持部１７が形成されている点である。挟持部１７により上側のティッシュ箱２０ａが何らかの原因でティッシュ箱ホルダ１０から落下するのを防止することができる。尚、図では挟持部１７がティッシュ箱２０ｃの正面側に形成されているが、本発明はこれに限定されるものではなく、側面側に形成されていてもよい。
【００２０】
＜変形例２＞
図５は、図１に示したティッシュ箱ホルダの他の変形例の外観斜視図である。
図５に示したティッシュ箱ホルダの図１に示したティッシュ箱ホルダとの相違点は、三つのティッシュ箱ごとフレームを覆うカバー３０を備えた点である。
このような複数の取り出し口を有するカバー３０を用いることにより、ティッシュ箱ホルダに挿入されたティッシュ箱の落下をさらに防止することができると共に、外観の意匠性を向上させることができる。
【００２１】
尚、上述した実施の形態は、本発明の好適な実施の形態の一例を示すものであり、本発明はそれに限定されることなく、その要旨を逸脱しない範囲内において、種々変形実施が可能である。例えば、上述した例ではティッシュ箱が三つの場合を前提としているが、本発明はこれに限定されるものではなく、上側の支持部１２の無いフレーム構成としてもよい。この場合にはフレームの高さを適宜ティッシュ箱の幅に合わせてもよい。
【符号の説明】
【００２２】
１０    ティッシュ箱ホルダ
１１、１２    支持部
１４    脚部
１５    竜骨部
１３、１７    挟持部
１６    背当て部
２０ａ、２０ｂ、２０ｃ    ティッシュ箱
３０    カバー
【図１】
2015147602.tif 000003
【図２】
2015147602.tif 000004
【図３】
2015147602.tif 000005
【図４】
2015147602.tif 000006
【図５】
2015147602.tif 000007